(57)【要約】【課題】完成品の移動中、破損や衝撃から製品を保護するために使われるエアー包装バッグおよびエアー包装バッグを成型するための成型機を提供すること。【解決手段】本発明は、包装バッグの空気室を独立的に構成することによって一つの空気室が破損しても隣接する空気室の空気抜けなしに包装された状態を継続維持することができ、製品生産ラインにおいて包装用品の積載のための大空間が不必要で、かつフィルムを多層に重ねた状態で連続移動しながら溶接および切断されるように自動化することによって、エアー包装バッグ生産コストを低減しうるようにするエアー包装バッグおよびエアー包装バッグ成型機に関する。【選択図】図６
2011518091.tif 000002
【特許請求の範囲】
【請求項１】
上端部に離形剤２８０が塗布され、ノズルの役割を果たすための空気孔２２２が穿孔された第３フィルム２３０と、
穿孔された空気孔２２２が形成されてノズル役割を果たすための第２フィルム２２０と、
前記第２フィルム２２０と前記第３フィルム２３０との間に前記離形剤２８０の塗布によって形成される通路２５０と、
前記第２フィルム２２０の上端部に形成される第１フィルム２１０と、
前記第３フィルム２３０の下端部に形成される第４フィルム２４０と、
前記第２ないし第４フィルム（２２０、２３０、２４０）に同時に熱融着によって形成される構造室と、
前記第１ないし第４フィルム（２１０、２２０、２３０、２４０）に同時に熱融着によって区分されるセルを含むエアー包装バッグ。
【請求項２】
第３フィルム２３０の上端部に離形剤２８０を塗布する第１段階と、
前記第３フィルム２３０の上端に第２フィルム２２０を載せて重ねた状態で前記第２フィルム２２０と前記第３フィルム２３０に所定の空気孔２２２を形成する第２段階と、
前記第３フィルム２３０の下端部に第４フィルム２４０を位置させた後、前記第２ないし第４フィルム（２２０、２３０、２４０）に同時に構造室の外郭線のみを熱融着する第３段階と、
前記第２フィルム２２０の上端部に第１フィルム２１０を置いた状態で前記第１ないし第４フィルム（２１０、２２０、２３０、２４０）に同時に単位セルの境界線の外部領域のみを熱融着する第４段階と、を含むエアー包装バッグの製作方法。
【請求項３】
ハウジング１０と、
前記ハウジング１０の先端部に設置され、一対の内部フィルム２１の巻かれた内部フィルムロール及び一対の外部フィルム２２の巻かれた外部フィルムロールが装着されるフィルムロール装着部２０と、
前記ハウジング１０の後段部に設置され、前記フィルムロール装着部２０で供給された内部及び外部フィルム（２１、２２）がエアー包装バッグ２００から形成された後、単位包装バッグとして切断および積載される積載部９０と、
前記フィルムロール装着部２０と前記積載部９０との間の前記内部および外部フィルム（２１、２２）供給経路上の積載要素に回転自在に設置されて、前記内部および外部フィルム（２１、２２）の移送を案内する複数のアイドルローラー１１と、
前記フィルムロール装着部２０と前記積載部９０との間の前記内部および外部フィルム（２１、２２）供給経路上に設置されて前記内部フィルム２１が前記アイドルローラー１１によって密着された状態で流入され、一定間隔に前記内部フィルム２１の表面を切断する空気孔切断部４０と、
前記空気孔切断部４０の後方に形成され、第１溶接金型部５１及び第１冷却金型部５２を具備する第１構造室成型部と、
前記第１構造室成型部５０で成型された前記内部フィルム２１の下面に前記外部フィルム２２が流入された状態で流入され、第２溶接金型部５１’および第２冷却金型部５２’を具備する第２構造室成型部５０’と、
前記第１構造室成型部５１で成型された前記内部フィルム２１の下面に前記外部フィルム２２が流入された状態で流入され、第３溶接金型部５１”および第３冷却金型部５２”を具備する外郭成型部５０”と、
前記外郭成型部５０”の後方に設置され、連続する前記内部および外部フィルム（２１、２２）を単位製品に分割するために前記内部および外部フィルム（２１、２２）を前記単位包装バッグに溶接する単位製品接着部６０と、
前記単位製品接着部６０の後方に設置され、成型された前記内部および外部フィルム（２１、２２）を製作しようとする前記エアー包装バッグ２００の大きさに合うように切断する外周面切断部７０と、
前記外周面切断部７０の後方に設置され、速度が調節された状態で連続流入される前記エアー包装バッグ２００を前記単位包装バッグに切断するための単位製品切断部８０を包含するエアー包装バッグ成型機。
【請求項４】
前記フィルムロール装着部２０の後方に各々形成されて、流入する前記内部および外部フィルム（２１、２２）に同一の移動速度を付与するためのテンション調節部３０を更に含むことを特徴とする請求項３に記載のエアー包装バッグ成型機。
【請求項５】
前記空気孔切断部４０は、
前記ハウジング１０に組み立てられる切断部ベース４１と、
前記切断部ベース４１と切断部支持台４４とを連結する切断部シャフト４２と、
前記切断部シャフト４２の外面にすべり密着して上下移動される切断部移動部材４５と、
前記切断部支持台４４の上面に組み立てられ、前記切断部移動部材４５と連結されて前記切断部移動部材４５の上下移動を調節する切断部シリンダー４３と、
前記切断部移動部材４５の下面に組み立てられ、複数の切断部刃４６ａが形成された切断部上部金型４６と、
前記切断部ベース４１の上面に組み立てられ、上面に切断部クッション部４７ａが形成される切断部下部金型４７と、を含むことを特徴とする請求項３に記載のエアー包装バッグ成型機。
【請求項６】
前記第１溶接金型部５１は、
前記ハウジング１０と前進および後進移動されるように移動手段５３が形成された金型部ベース５１ａと、
前記金型部ベース５１ａの上面に装着される金型部の下部金型５１ｇと、
前記金型部ベース５１ａの上面と金型部シャフト５１ｂに連結され、上部面に一対の金型部シリンダー５１ｅが形成された金型部支持台５１ｃと、
前記金型部支持台５１ｃと前記金型部の下部金型５１ｇとの間に形成され、前記金型部シャフト５１ｂとすべり移動するように組み立てられた状態で両側の前記金型部シリンダー５１ｅの動作によって上下移動するように形成された金型部移動部材５１ｄと、
前記金型部移動部材５１ｄの底面に組み立てられ、内部に発熱体５１ｆ’が内装された状態で外部電源と連結される金型部の上部金型５１ｆと、
前記金型部移動部材５１ｄの両側面に形成された固定ピン５１ｈに固定され、下部の前記金型部の上部金型５１ｆを囲むように形成された接着防止フィルム５１ｉと、を含むことを特徴とする請求項３に記載のエアー包装バッグ成型機。
【請求項７】
前記第１冷却金型部５２は、
前記ハウジング１０と前進および後進移動するように移動手段５３が形成された冷却ベース５２ａと、
前記冷却ベース５２ａの上面に装着される冷却下部金型５２ｇと、
前記冷却ベース５２ａの上面と冷却シャフト５２ｂによって連結され、上部面に一対の冷却シリンダー５２ｅが形成された冷却支持台５２ｃと、
前記冷却支持台５２ｃと前記冷却下部金型５２ｇとの間に形成され、前記冷却シャフト５２ｂとすべり移動されるように組み立てられた状態で両側の前記冷却シリンダー５２ｅの動作によって上下移動するように形成された冷却移動部材５２ｄと、
前記冷却移動部材５２ｄの底面に組み立てられ、内部に冷却水の流れる流路が形成された状態で外部循環手段と連結される冷却上部金型５２ｆと、を含むことを特徴とする請求項３に記載のエアー包装バッグ成型機。
【請求項８】
前記移動手段５３は、
前記金型部ベース５１ａの一側で突出する一対の移動手段本体５３ａと、
前記移動手段本体５３ａの内部を貫通して内側に一対の移動手段歯車５３ｃが形成された移動手段シャフト５３ｂと、
前記移動手段歯車５３ｃとかみ合わせられて前記ハウジング１０の上面に長手方向に形成された平歯車１０ａと、
前記移動手段シャフト５３ｂの一側に組み立てられて前記移動手段歯車５３ｃを回転させる移動手段ハンドル５３ｄを含み、
前記移動手段ハンドル５３ｄの回転によって前記移動手段歯車５３ｃが回転することで前記平歯車１０ａとかみ合わせられた前記移動手段歯車５３ｃが回転し、同時に前記移動手段本体５３ａと連結された前記金型部ベース５１ａが往復移動されることを特徴とする請求項６または請求項７に記載のエアー包装バッグ成型機。
【請求項９】
前記外周面切断部７０は、
前記ハウジング１０に組み立てられる一対の外周面固定台７１と、
前記外周面固定台７１を連結し、一端部に外周面刃７３ａが組み立てられる複数の外周面カッター部材７３と、
前記外周面カッター部材７３の回転を制御する外周面固定ボルト７４と、を含むことを特徴とする請求項３に記載のエアー包装バッグ成型機。
【請求項１０】
前記単位製品切断部８０は、
前記ハウジング１０に固定され、一面に長い溝８１ａ’が形成され、内部に回動されるように組み立てられる単位保護板８６を有する一対の単位ガイド板８１と、
前記長い溝８１ａ’にスライド移動するように両端部が組み立てられ、一端部に単位刃８３が組み立てられる単位移動体８２と、
前記単位移動体８２と単位シリンダー８４を連結する単位シャフト８５と、を含むことを特徴とする請求項３に記載のエアー包装バッグ成型機。
【請求項１１】
前記テンション調節部３０は、
一側が前記ハウジング１０に回動されるように組み立てられ、「ロ」字形状を有するテンション調節板３１と、
前記テンション調節板３１の回転を制御して装着された前記内部および外部フィルム（２１、２２）の引っ張りと解きを調節するテンションシリンダー３２を含むことを特徴とする請求項４に記載のエアー包装バッグ成型機。
【発明の詳細な説明】
【技術分野】
【０００１】
本発明は、エアー包装バッグおよびエアー包装バッグ成型機に関わり、より詳細には破損のおそれのある製品を外部の衝撃から保護するためのエアー包装バッグおよびエアー包装バッグ成型機に関する。
【背景技術】
【０００２】
一般的にノートブックやＴＶなどのような高価の家電製品は運送途中に発生するおそれのある墜落および外部の衝撃から保護されるように内部包装容器に挿入した状態で外部包装ボックスに収納して包装することが一般的な製品包装の方法である。前記で内部包装容器は一般的にスチロフォームを利用して包装される対象製品の外形と同一ないし類似の形態に成型して使用することで、製品が揺れることを防止するできるように製作される。また、近来には環境を保護するために簡単に分解される紙材質の包装容器またはビデオや携帯用カセットのような小型製品の場合、エアーキャップなどを利用して内部包装をする。
【０００３】
しかし、前記のような内部包装容器は次のような問題点を有する。
【０００４】
第１に、大型ＴＶまたはコンピュータ、モニターのような製品はスチロフォームを利用して内部包装容器を製作する。このようにスチロフォームを利用した内部包装容器は包装しようとする製品と類似の内部形状を有するためにそれぞれの製品ごとに包装容器の製作金型を製作しなければならなく、これは非常に複雑で製作時間が長く、高い費用を発生させるとの問題点がある。また、包装される製品ごとに金型を各々準備しなければならないとの問題点がある。
【０００５】
第２に、スチロフォームで製作された内部包装容器は生産現場での大量積載が不可能である。即ち、狭い生産現場で大型の包装容器は取扱が非常に大変である問題点がある。スチロフォームの内部包装容器はそれの体積が大きい面積を占めて、使用場所に大量に積載が不可能であるため、周期的に倉庫などの別途の保管場所から持ってきて使用しなければならなくて、使用が非常に大変で大型の製品包装容器である場合、それの取扱が非常に困難な問題点がある。
【０００６】
第３に、前記のような問題点を解決するために近来には紙で形成された内部包装容器を製作して使用している。このような紙で形成された製品包装容器は、別途の金型を利用して製作しなければならないわずらわしさがあるが、使用現場で包装容器の積載時、重ねて積載が可能であるため、積載空間を効率的に使用することができ、紙を利用して形成することによって環境に親しいとの特徴があるが、内部容器と外部ボックスとの間に空く空間が発生し、このような空間によって内部製品に衝撃が加えられるか揺れるなど完全な製品保護ができなかった。
【０００７】
第４に、携帯電話やＭＰ３プレーヤーのような小型の製品の場合、エアーキャップを利用して製品を包装して外部ボックスに収納することによって衝撃から製品を保護することができるが、大型のエアーキャップのエアー収納室が弱いことによって製品が破裂してしまう問題から前記のような包装方法は使用されていない実情である。
【発明の概要】
【発明が解決しようとする課題】
【０００８】
本発明は、前記で指摘された問題点を解決するために提案されたものであって、流体を注入してクッション層が形成される単位セルを含むエアー包装バッグを提供することを目的とし、従来の空気のみを注入する包装材に比べて冷却ゲルなどの流体の注入を可能にして低温状態の移送が必要な物品に対するエアー包装バッグを提供するようにする。
【０００９】
また、本発明は、従来のエアー注入包装材が有する短所であるエアー流入路がつぶれることによってエアー流入が円滑でない場合にも、空気を含んだ流体の注入が容易であるように、単位セル（最下端部に位置した単位セルは除外）の上下端部に離形剤の塗布によって流体注入路が形成され、前記流体注入路と連結されて流体が移動する経路になる構造室を形成したエアー包装バッグを提供する。
【００１０】
また、本発明は前記のようなことを考慮して成されたものであって、本発明の目的は、製品生産ラインにおける内部包装容器の積載および取扱が容易かつ大量の包装容器の積載を可能にすることによって製品生産ラインにおける品質向上および包装工程における不良を減少しうるエアー包装バッグ成型機を提供することにある。
【００１１】
また、本発明の他の目的は、マット化したエアー包装バッグを包装される製品の形態に畳んで袋形態に製作して使用することによって製品ごとの金型が不必要であるため、内部包装容器の製作に使われる費用を節減することができ、多様な形態に容易に変形しうるエアー包装バッグ成型機を提供することにある。
【００１２】
また、本発明のさらに他の実施例ではエアー室の内部に空気外の冷媒を注入してアイスパックなど多様な形態に容易に変形して使用しうるエアー包装バッグ成型機を提供することにある。
【課題を解決するための手段】
【００１３】
本発明のエアー包装バッグに使用されるセルのノズルの原理について図１を参照して説明すると、まず第１〜第４フィルムが順次に積層され、合体された単位セルにおいて、第２フィルムと第３フィルムとの間に流入された流体は第２フィルムに穿孔された空気孔を通じて第１フィルムと第２フィルムとの間に流入するようになり、第２フィルムと第２フィルムと間に流入された流体は単位セルを膨らませるようになり、第１フィルムと第２フィルムとの間に流体の流入が増加してセルが膨らむほど逆に第２フィルムと第３フィルムとの間に形成された流路を圧迫するようになる。
【００１４】
このような過程を経て結局流体は第１フィルムと第２フィルムとの間で充填されて膨らみ、セルは全体的にクッション役割を果たすようになり、膨らんだ圧力によって第２フィルムと第３フィルムとの間に形成された流路は遮断されるようになり、ノズルの役割を果たすようになる。
【００１５】
次には、前記で説明したエアー包装バッグに使用される単位セルのノズルの原理を用いたエアー包装バッグの製作方法を説明する。
【００１６】
本発明のエアー包装バッグの製作方法は、まず第３フィルムの上面の一定部分に離形剤を塗布する。その後、離形剤が塗布された第３フィルムの上部分に予め決められた部分に空気孔が出ている第２フィルムを載せて重ねておく。その後、第４フィルムを第２および第３フィルムが重なっている状態で第３フィルムの下面に位置させた後、構造室を成すようになる外郭線を熱融着する。次に第１フィルムを第２フィルムの上面に置いた状態で単位セルの外郭境界線の外部領域を熱融着する。
【００１７】
前記のような過程によってエアー包装バッグは離形剤が塗布された第１通路とセルの内部で構造室を成す外郭境界線を除いた部分の他には全て熱融着によってフィルムが合わせられるようになり、エアー包装バッグの最下端部には離形剤が塗布されていない状態である。これは注入された流体がエアー包装バッグの最下端部で流体の流れを防ぐためである。
【００１８】
このような作業によって、第１〜第４フィルムは単位セルを基準としてそれの外郭境界線の外部領域、すなわち単位セルと単位セルとの間の空間は熱融着され、単位セルの内部側には構造室を形成する外郭線が熱融着され、よって離形剤が塗布された第２フィルムと第３フィルムとの間と単位セルの内部で構造室の内部の部分は熱融着されていない状態となる。
【００１９】
次に、エアー包装バッグに流体を注入する過程を説明する。
【００２０】
エアー包装バッグの上端部に第２フィルムおよび第３フィルムとの間に形成された通路を通じて流体が強制注入されると、前記流体は離形剤が塗布されて流路が確保された通路を通じてセルの内部に流入されるようになり、セルの内部に流入された流体は各単位セルを経てセルの下端部に形成された更に異なる通路を通じて各単位セルを経て最下端部に形成されたセルから流体が充填されるようなる。
【００２１】
各単位セルにおける流体充填の様態を見ると、流体が第２フィルムに穿孔された空気孔を通じて第１フィルムと第２フィルムとの間に流入されるかつ次第に膨らむようになり、このように第１フィルムと第２フィルムとの間に流入された流体によってセルが膨らむことによって流体が第２フィルムと第３フィルムを圧迫するようになりかつセルへの流体進入を遮断されるようになる。したがって第１通路を通じて流入された流体はエアー包装バッグの最下端部に形成されたセルから始めて上方のセルへ順次充填されるようになる。
【００２２】
このように製作されたエアー包装バッグはエアー包装バッグにおいて、上端部に離形剤が塗布されて第２フィルムと合体する第３フィルムと、穿孔された空気孔が形成されてノズル役割を果たすための第２フィルムと、前記第２フィルムと前記第３フィルムとの間に形成される流路と、前記第２フィルムの上面に形成される第１フィルムと、前記第３フィルムの下端部に形成される第４フィルムと、前記第２ないし第４フィルムに同時に熱融着によって形成される構造室と、前記第１ないし第４フィルムに同時に熱融着によって区分される単位セルと、を含んで構成されるようになる。
【００２３】
一方、本発明のエアー包装バッグに充填される流体には従来のエアー（空気）の外にも冷却ゲル等も利用するようになる。
【００２４】
本発明のエアー包装バッグを成型するためのエアー包装バッグ成型機は、ハウジングと、前記ハウジングの先端部に設置され、一対の内部フィルムの巻かれた内部フィルムロール及び一対の外部フィルムの巻かれた外部フィルムロールが装着されるフィルムロール装着部と、前記ハウジングの後段部に設置され、前記フィルムロール装着部で供給された内部及び外部フィルムがエアー包装バッグから形成された後、単位包装バッグとして切断および積載される積載部と、前記フィルムロール装着部と前記積載部との間の前記内部および外部フィルム供給経路上の積載要素に回転自在に設置されて、前記内部および外部フィルムの移送を案内する複数のアイドルローラーと、前記フィルムロール装着部と前記積載部との間の前記内部および外部フィルム供給経路上に設置されて前記内部フィルムが前記アイドルローラーによって密着された状態で流入され、一定間隔に前記内部フィルムの表面を切断する空気孔切断部と、前記空気孔切断部の後方に形成され、第１溶接金型部及び第１冷却金型部を具備する第１構造室成型部と、前記第１構造室成型部で成型された前記内部フィルムの下面に前記外部フィルムが流入された状態で流入され、第２溶接金型部および第２冷却金型部を具備する第２構造室成型部と、前記第１構造室成型部で成型された前記内部フィルムの下面に前記外部フィルムが流入された状態で流入され、第３溶接金型部および第３冷却金型部を具備する外郭成型部と、前記外郭成型部の後方に設置され、連続する前記内部および外部フィルムを単位製品に分割するために前記内部および外部フィルムを前記単位包装バッグに溶接する単位製品接着部と、前記単位製品接着部の後方に設置され、成型された前記内部および外部フィルムを製作しようとする前記エアー包装バッグの大きさに合うように切断する外周面切断部と、前記外周面切断部の後方に設置され、速度が調節された状態で連続流入される前記エアー包装バッグを前記単位包装バッグに切断するための単位製品切断部を含んで構成されることに特徴がある。
【００２５】
一方、前記エアー包装バッグ成型機は、前記フィルムロール装着部の後方に各々形成されて、流入する前記内部および外部フィルムに同一の移動速度を付与するためのテンション調節部を更に含むことができる。
【００２６】
また、前記空気孔切断部は、前記ハウジングに組み立てられる切断部ベースと、前記切断部ベースと切断部支持台とを連結する切断部シャフトと、前記切断部シャフトの外面にすべり密着して上下移動される切断部移動部材と、前記切断部支持台の上面に組み立てられ、前記切断部移動部材と連結されて前記切断部移動部材の上下移動を調節する切断部シリンダーと、前記切断部移動部材の下面に組み立てられ、複数の切断部刃が形成された切断部上部金型と、前記切断部ベースの上面に組み立てられ、上面に切断部クッション部が形成される切断部下部金型と、を含むことができる。
【００２７】
前記第１溶接金型部は、前記ハウジングと前進および後進移動されるように移動手段が形成された金型部ベースと、前記金型部ベースの上面に装着される金型部の下部金型と、前記金型部ベースの上面と金型部シャフトに連結され、上部面に一対の金型部シリンダーが形成された金型部支持台と、前記金型部支持台と前記金型部の下部金型との間に形成され、前記金型部シャフトとすべり移動するように組み立てられた状態で両側の前記金型部シリンダーの動作によって上下移動するように形成された金型部移動部材と、前記金型部移動部材の底面に組み立てられ、内部に発熱体が内装された状態で外部電源と連結される金型部の上部金型と、前記金型部移動部材の両側面に形成された固定ピンに固定され、下部の前記金型部の上部金型を囲むように形成された接着防止フィルムと、を含んで構成されることに特徴がある。
【００２８】
一方、前記第１冷却金型部は、前記ハウジングと前進および後進移動するように移動手段が形成された冷却ベースと、前記冷却ベースの上面に装着される冷却下部金型と、前記冷却ベースの上面と冷却シャフトによって連結され、上部面に一対の冷却シリンダーが形成された冷却支持台と、前記冷却支持台と前記冷却下部金型との間に形成され、前記冷却シャフトとすべり移動されるように組み立てられた状態で両側の前記冷却シリンダーの動作によって上下移動するように形成された冷却移動部材と、前記冷却移動部材の底面に組み立てられ、内部に冷却水の流れる流路が形成された状態で外部循環手段と連結される冷却上部金型と、を含んで構成されることを特徴とする。
【００２９】
また、前記移動手段は、前記金型部ベースの一側に突出する一対の移動手段本体と、前記移動手段本体の内部を貫通して内側に一対の移動手段歯車が形成された移動手段シャフトと、前記移動手段歯車とかみ合わせられて前記ハウジングの上面に長手方向に形成された平歯車と、前記移動手段シャフトの一側に組み立てられて前記移動手段歯車を回転させる移動手段ハンドルを含んで構成される。
【００３０】
よって、前記移動手段ハンドルの回転によって前記移動手段歯車が回転することで前記平歯車とかみ合わせられた前記移動手段歯車が回転し、同時に前記移動手段本体と連結された前記金型部ベースが往復移動されることが可能である。
【００３１】
前記外周面切断部は、前記ハウジングに組み立てられる一対の外周面固定台と、前記外周面固定台を連結し、一端部に外周面刃が組み立てられる複数の外周面カッター部材と、前記外周面カッター部材の回転を制御する外周面固定ボルトと、を含んで構成されることを特徴とする。
【００３２】
また、前記単位製品切断部は前記ハウジングに固定され、一面に長い溝が形成され、内部に回動されるように組み立てられる単位保護板を有する一対の単位ガイド板と、前記長い溝にスライド移動するように両端部が組み立てられ、一端部に単位刃が組み立てられる単位移動体と、前記単位移動体と単位シリンダーを連結する単位シャフトと、を含んで構成されることを特徴とする。
【００３３】
また、前記テンション調節部は、一側が前記ハウジングに回動されるように組み立てられ、「ロ」字形状を有するテンション調節板と、前記テンション調節板の回転を制御して装着された前記内部および外部フィルムの引っ張りと解きを調節するテンションシリンダー３２を含んで構成されることを特徴とする。
【発明の効果】
【００３４】
本発明によるエアー包装バッグは冷却ゲルなどの流体の注入が容易であるように逆止弁の役割を果たす第２フィルムと第３フィルムとが離形剤によって離形剤の塗布された部分が相互熱接着されないように構成して通路を形成し、また構造室を形成して流体が移動するようにしてし、同時に構造室に流入した流体が第２フィルムに形成された空気孔を通じて注入されて単位セル全体が膨らんでクッション役割を果たし、延いては空気のみならず冷却ゲルなどの流体の注入が容易である効果を有するようになる。
【００３５】
また、エアー包装バッグ成型機は次のような効果を有する。
（１）最初に、従来のスチロフォーム製作のための金型に比べて小型に製作することができるため、金型の製作費用を節減することができ、自動化した状態で包装バッグを製作することで製作にともなう人件費の節減および大量生産が可能であるとの効果がある。
【００３６】
（２）板状に形成される包装バッグを包装しようとする製品の大きさに合わせて切断および箱形状に溶接することなどが容易であるため多様な形態に変形しやすくて、家電製品、酒ビン、古家具、装飾物など多様な形態の製品を簡単かつ堅固に包装することができる効果がある。
【００３７】
（３）エアー室の形態を多様に変形することによって多様な形態および包装される製品のデザインに最適化した形状のエアー包装バッグを製作することができる。
【００３８】
（４）外部の衝撃によって一つの構造室が破損しても隣接する構造室に影響を与えないため、強い衝撃にも大きい影響なしに続いて包装状態を維持することができる効果がある。
【図面の簡単な説明】
【００３９】
【図１】本発明のエアー包装バッグに流体が充填される原理を示すための図である。
【図２】第３フィルムの一定部分に離形剤を塗布した状態を示した図である。
【図３】本発明の一実施例によるエアー包装バッグで第３フィルムの上面に予め決められた部分に空気孔を穿孔した第２フィルムを重ねておいた状態を示した図である。
【図４】本発明の一実施例によるエアー包装バッグにおいて第３フィルムの下面に第４フィルムを置いた後、構造室の外郭線を熱融着した状態を示したことを上から示した図である。
【図５】本発明の一実施例によるエアー包装バッグにおいて第２フィルムの上面に第１フィルムを載せた状態で単位セルの外郭境界線の外部領域、すなわち単位セルと単位セルとの間の空間を熱融着した状態を上から示した図である。
【図６】本発明の一実施例によるエアー包装バッグにおいて第１フィルムないし第４フィルムを積層した状態を示した図である。
【図７】本発明のエアー包装バッグに流体が充填された状態を示した斜視図である。
【図８】本発明によるエアー包装バッグ成型機の包装バッグ成型過程を説明するための成型機の概略図である。
【図９】本発明によるエアー包装バッグ成型機の中、テンション調節部の側面図である。
【図１０】本発明によるエアー包装バッグ成型機の中、空気孔切断部の正面図である。
【図１１】本発明によるエアー包装バッグ成型機の中、第１、２構造室および外郭の成型のための溶接金型の斜視図である。
【図１２】図１１の断面図である。
【図１３】本発明によるエアー包装バッグ成型機の中、第１、２構造室および外郭成型のための冷却金型の斜視図である。
【図１４】本発明によるエアー包装バッグ成型機の中、外周面切断部の写真である。
【図１５】本発明によるエアー包装バッグ成型機の中、単位製品切断部における一部分の拡大斜視図である。
【図１６】本発明によるエアー包装バッグ成型機を利用した段階別エアーバッグの製作状態図である。
【図１７】本発明によるエアー包装バッグ成型機を利用した段階別エアーバッグの製作状態図である。
【図１８】本発明によるエアー包装バッグ成型機を利用した段階別エアーバッグの製作状態図である。
【図１９】本発明によるエアー包装バッグ成型機を利用した段階別エアーバッグの製作状態図である。
【図２０】本発明によるエアー包装バッグ成型機を利用した段階別エアーバッグの製作状態図である。
【図２１】本発明によるエアー包装バッグ成型機を利用した段階別エアーバッグの製作状態図である。
【図２２】本発明によるエアー包装バッグ成型機を利用した段階別エアーバッグの製作状態図である。
【発明を実施するための形態】
【００４０】
本発明は多様に変更することができ、多様な形態を有することができること、特定の実施形態を図面に例示して本文に詳細に説明する。しかし、これは、本発明を特定の開示形態に限定するのではなく、本発明の思想及び技術範囲に含まれる全ての変更、均等物、乃至代替物を含むことを理解すべきである。
第１、第２等の用語は、多様な構成要素を説明するために使用することができるが、構成要素は用語によって限定されない。前記用語は一つの構成要素を他の構成要素から区別する目的としてのみ使用される。例えば、本発明の権利範囲から逸脱することなしに、第１構成要素は第２構成要素と称されてもよく、同様に第２構成要素も第１構成要素に称されてもよい。
本出願において用いた用語は、ただ特定の実施例を説明するためのものであって、本発明を限定するのではない。単数の表現は、文脈上、明白に相違が示されない限り、複数の表現を含む。本出願において、「含む」または「有する」等の用語は、明細書上に記載された特徴、数字、段階、動作、構成要素、部品、又はこれらを組み合わせたものが存在することを意図するものであって、一つまたはそれ以上の他の特徴や数字、段階、動作、構成要素、部品、又はこれらを組み合わせたもの等の存在または付加の可能性を予め排除しないことを理解しなければならない。
なお、異なるものとして定義しない限り、技術的であるか科学的な用語を含めてここで用いられる全ての用語は、本発明が属する技術分野において通常の知識を有する者によって一般的に理解されるものと同一の意味を有している。
一般的に用いられる辞典に定義されているもののような用語は、関連技術の文脈上で有する意味と一致する意味を有することと解釈すべきであり、本出願で明白に定義されない限り、異常的であるか過度に形式的な意味に解釈されない。
以下に添付図面を参照して本発明の好適な実施形態について詳細に説明する。
【００４１】
図２は本発明の一実施例によるエアー包装バッグにおいて第３フィルムの一定部分に離形剤を塗布した状態を示した図であり、図３は本発明の一実施例によるエアー包装バッグにおいて第３フィルムの上面に予め決められた部分に空気孔を穿孔した第２フィルムを重ねておいた状態（各フィルムを透明な材質で想定して上から見る時を示す）を示した図であり、図４は本発明の一実施例によるエアー包装バッグにおいて第３フィルムの下面に第４フィルムを置いた後、構造室の外郭線を熱融着した状態を示したことを上から示した図でり、図５は本発明の一実施例によるエアー包装バッグにおいて第２フィルムの上面に第１フィルムを載せた状態で単位セルの外郭境界線の外部領域、すなわち単位セルと単位セルとの間の空間を熱融着した状態を上から示した図である。また、図６は、本発明の一実施例によるエアー包装バッグにおいて第１フィルムないし第４フィルムを積層した状態を示した図であり、図７は本発明のエアー包装バッグに流体が充填された状態を示した斜視図である。
【００４２】
図２ないし図７を参照すると、本実施例によるエアー包装バッグ２００は上端部に離形剤２８０が塗布されて第２フィルム２２０と合体される第３フィルム２３０と、穿孔された空気孔２２２が形成されてノズル役割を果たすための前記第２フィルム２２０と、前記第２フィルム２２０と前記第３フィルム２３０との間に形成される通路２５０と、前記第２フィルム２２０の上面に形成される第１フィルム２１０と、前記第３フィルム２３０の下端部に形成される第４フィルム２４０と、前記第２ないし第４フィルム（２２０、２４０）に同時に熱融着によって形成される構造室２６０と、前記第１ないし第４フィルム（２１０、２２０、２３０、２４０）に同時に熱融着によって区分される単位セル２７０を含んで構成される。
【００４３】
一方、本発明の前記エアー包装バッグ２００に充填される流体には従来のエアー（空気）の他にも冷却ゲル等も利用することができる。
【００４４】
前記エアー包装バッグ２００の製作方法は、まず前記第３フィルム２３０の上面の一定部分に前記離形剤２８０を塗布する。
【００４５】
その後、前記離形剤２８０が塗布された前記第３フィルム２３０の上部分に予め決められた部分に前記空気孔２２２が出ている前記第２フィルム２２０を載せて重ねておく。
【００４６】
その後、前記第４フィルム２４０を前記第２および第３フィルム（２２０、２３０）が重なっている状態で前記第３フィルム２３０の下面に位置させた後、前記構造室２６０をなす外郭線を熱融着する。
【００４７】
次の過程で前記第１フィルム２１０を前記第２フィルム２２０の上面に置いた状態で前記単位セル２７０の外郭境界線の外部領域を熱融着する。
【００４８】
前記のような過程を通じて前記エアー包装バッグ２００は、前記第２フィルム２２０と前記第３フィルム２３０との間で前記離形剤２８０が塗布されて熱融着されないことで形成される前記通路２５０と前記単位セル２７０の内部で前記構造室２６０の外郭線を除いた部分以外には全て熱融着によって前記第１ないし第４フィルム（２１０、２２０、２３０、２４０）が合わせられるようになり、前記エアー包装バッグ２００の最下端部には前記離形剤２８０が塗布されていない状態である。これは注入された前記流体が前記エアー包装バッグ２００の最下端部で流れるようになる場合を防止するためである。
【００４９】
このような作業によって、前記第１ないし第４フィルム（２１０、２２０、２３０、２４０）は前記単位セル２７０を基準として前記単位セル２７０の外郭境界線の外部領域、すなわち前記単位セル２７０と前記単位セル２７０との間の空間は熱融着され、前記単位セル２７０の内部側へは前記構造室２６０の外郭線が熱融着され、よって、前記第２フィルム２２０と前記第３フィルム２３０との間で前記離形剤２８０が塗布されて熱融着されないことによって形成される前記通路２５０と前記単位セル２７０の内部で前記構造室２６０内部の部分は熱融着されていない状態となる。
【００５０】
次には、前記エアー包装バッグ２００に前記流体を注入する過程を説明する。
【００５１】
前記エアー包装バッグ２００の上端部に前記第２フィルム２２０および前記第３フィルム２３０と間に形成された前記通路２５０を通じて前記流体が強制注入されると、前記流体は前記離形剤２８０が塗布されて流路が確保された前記通路２５０を通じて前記構造室２６０の内部に流入するようになり、前記構造室２６０の内部に流入された前記流体は各前記単位セル２７０を経て前記構造室２６０の下端部に形成された前記通路２５０を通じて各前記単位セル２７０を経て下端部に形成された前記構造室２６０から流体が充填されるようになる。
【００５２】
前記単位セル２７０における前記流体充填の様態を見ると、前記流体が前記第２フィルム２２０に穿孔された前記空気孔２２２を通じて前記第１フィルム２１０と前記第２フィルム２２０との間に流入されながら次第に膨らむようになり、このように前記第１フィルム２１０と前記第２フィルム２２０との間に流入された前記流体によって前記構造室２６０が膨らむことによって前記流体が前記第２フィルム２２０と前記第３フィルム２３０を圧迫するようになって前記構造室２６０への流体進入を遮断するようになる。
【００５３】
よって、前記通路２５０を通じて流入された前記流体は、前記エアー包装バッグ２００の下端部に形成された前記構造室２６０から前記エアー包装バッグ２００の下端部と対向する前記エアー包装バッグ２００の上端部に形成された前記構造室２６０まで順次充填される。
【００５４】
図８は、本実施例によるエアー包装バッグを成型するためのエアー包装バッグ成型機の概略図である。
【００５５】
図６および図８を参照すると、エアー包装バッグ成型機１００は、ハウジング１０の一側に一対の内部フィルム２１が巻かれた内部フィルムロールおよび一対の外部フィルム２２が巻かれた外部フィルムロールが装着されるフィルムロール装着部２０が形成され、前記ハウジング１０の他側には多様な経路を経て製作された前記エアー包装バッグ２００が単位包装バッグに切断される単位製品切断部８０が形成される。前記内部フィルム２１は、前記第２フィルム２２０および前記第３フィルム２３０を含み、前記外部フィルム２２は前記第１フィルム２１０および前記第４フィルム２４０を含むことができる。
【００５６】
また、前記ハウジング１０に形成された前記フィルムロール装着部２０と前記単位製品切断部８０との間に前記内部および外部フィルム（２１、２２）が移動する経路上に複数個のアイドルローラー（１１）を設置することによって流入する前記内部および外部フィルム（２１、２２）の移動を円滑にする。
【００５７】
一方、前記ハウジング１０に形成された前記フィルムロール装着部２０と前記単位製品切断部８０との間には、流入する前記内部フィルム２１および前記外部フィルム２２に同一のテンションを付与することによって前記内部フィルム２１および前記外部フィルム２２が密着した状態で揺れることを防止し、正確な位置で前記内部フィルム２１および前記外部フィルム２２を溶接することができるようにするテンション調節部３０と、前記内部フィルムロールから流入した前記内部フィルム２１が密着して設定された位置に前記空気孔２２２を形成する空気孔切断部４０を形成し、この状態で継続進行して上面に前記外部フィルム２２が密着した状態で第１溶接金型部５１と第１冷却金型部５２とで構成された第１構造室成型部５０を過ぎながら基礎的な構造室が前記外部フィルム２２に溶接され、続いて前記内部フィルム２１の下面に前記外部フィルム２２が流入して密着した状態で第２溶接金型部５１’と第２冷却金型部５２’とで構成された第２構造室成型部５０’に流入されてエアーが流入する前記構造室を形成するようになる。
【００５８】
例えば、前記第２フィルム２２０および前記第３フィルム２３０からなる前記内部フィルム２１の上面に前記第１フィルム２１０が密着した状態で第１構造室成型部５０を過ぎながら基礎的な前記構造室が前記第１フィルム２１０に溶接され、続いて前記内部フィルム２１０の下面に前記第４フィルム２４０が流入して密着した状態で第２構造室成型部５０’に流入されてエアーが流入する前記構造室を形成することができる。
【００５９】
これとは相違に、前記内部フィルム２１の下面に前記第４フィルム２４０が密着した状態で第１構造室成型部５０を過ぎながら基礎的な前記構造室が前記第４フィルム２１０に溶接され、続いて前記内部フィルム２１の上面に前記第１フィルム２１０が流入して密着した状態で第２構造室成型部５０’に流入されてエアーが流入する前記構造室を形成することもできる。また、前記のように複数の回の溶接および冷却を経て前記エアー包装バッグ２００の基本である前記構造室を形成し、続いて製品外部の枠を成型するための外郭成型部５０”の第３溶接金型部５１”と第３冷却金型部５２”を通過することによって前記エアー包装バッグ２００の基本枠を完成する。
【００６０】
また、前記のようにエアー包装バッグ２００の基本枠を製作した状態で連続して溶接および冷却される前記内部フィルム２１および前記外部フィルム２２を前記エアー包装バッグ２００の単位製品に製作するために単位製品に切断するための単位製品接着部６０で最後の溶接作業が行われる。
【００６１】
また、前記のように形成された内部および外部フィルム（２１、２２）は希望する大きさに裁断されるが、前記内部および外部フィルム（２１、２２）の両側に形成された外周面切断部７０によって前記エアー包装バッグ２００の大きさが決定される。その後、前記内部および外部フィルム（２１、２２）が連続して前記単位製品切断部８０を通過してそれぞれの個別単位製品に切断され、一つの前記エアー包装バッグ２００が完成されると、前記積載部９０で積載および包装されて完成する。
【００６２】
前記の説明でそれぞれの構成による具体的な説明は次のようである。
【００６３】
前記フィルムロール装着部２０は、前記内部フィルムロールおよび前記外部フィルムロールが垂直方向に前記ハウジング１０に装着されるものの、前記内部フィルム２１を形成する前記内部フィルムロールと前記外部フィルム２２を形成する前記外部フィルムロールが各々一対に形成されるように装着される。
【００６４】
前記フィルムロール装着部２０の装着される構成は前記ハウジング１０の形状によって多様に変形することができ、後で前記アイドルローラー１１を利用して希望する前記内部および外部フィルム（２１、２２）の流入方向を調節することができる。
【００６５】
一方、前記のようにハウジング１０に前記内部フィルムロールおよび前記外部フィルムロールが装着された状態で流入されるそれぞれの前記内部および外部フィルム（２１、２２）が同一のテンションを有するように前記テンション調節部３０が近接されるように形成される。
【００６６】
図９は、図８に示したエアー包装バッグ成型機の中、テンション調節部を示した側面図である。図６、図８、および図１０を参照すると、前記テンション調節部３０は前記内部および外部フィルムロールが装着されて一つの製品をなすためには互いに密着した状態で同一速度の流れを有しなければならない。
【００６７】
前記テンション調節部３０は、前記アイドルローラー１１の間に形成され、「ロ」字形状のテンション調節板３１の一側が前記ハウジング１０と回転するように組み立てられ、組み立てられた他側方向にテンションシリンダー３２を利用して前記ハウジング１０と連結して形成される。
【００６８】
前記のように形成されたテンション調節部３０は、前記内部および外部フィルム（２１、２２）が前記アイドルローラー１１をすぎて前記テンション調節板３１の一側に巻かれた状態でまた前記アイドルローラー１１に進入して移動するように設置し、一側の前記テンションシリンダー３２を利用して前記内部および外部フィルム（２１、２２）が巻かれた前記テンション調節板３１部分を上下に移動させることができる。したがって、前記テンション調節板３１を下降させて強いテンションを付与し、前記テンション調節板３１を昇降させて弱いテンションを前記内部および外部フィルム（２１、２２）に付与することによって前記内部および外部フィルム（２１、２２）のテンションを調節する。
【００６９】
前記のような構成のテンション調節部３０をそれぞれの前記内部フィルムロールおよび前記外部フィルムロールの後半に設置し、前記ハウジング１０に形成された制御部（ＰＣＢ、１２）を利用してそれぞれの前記内部および外部フィルム（２１、２２）のテンションを感知および調節することによって前記フィルムが同一の張力を持って流入されるようにする。
【００７０】
一方、前記のようにテンション調節部３０によって同一の速度で流入される一対の前記内部フィルム２１は、後で形成された前記構造室にエアーを流入させるための前記空気孔２２２の形成のために前記空気孔切断部４０を通過する。
【００７１】
図１０は、図８に示したエアー包装バッグ成型機の中、空気孔切断部を示した正面図である。
【００７２】
図５、図６、図８、および図１０を参照すると、前記空気孔切断部４０は前記ハウジング１０の上面に組み立てられる切断部ベース４１と、前記切断部ベース４１と切断部シャフト４２によって上部に離隔された状態で形成され、上面に一対の切断部シリンダー４３が組み立てられる切断部支持台４４および前記切断部シリンダー４３に両側が組み立てられて前記切断部シャフト４２にスライディング可能であるように密着されて上下移動される切断部移動部材４５で構成され、前記切断部ベース４１の上面と前記切断部移動部材４５の下面に一対の金型が組み立てられる。
【００７３】
前記金型は下部面に複数の切断部刃４６ａが形成される切断部上部金型４６と上面に合成樹脂の切断部クッション部４７ａを有し、下部が金属材の金型で製作される切断部下部金型４７からなる。
【００７４】
前記のように構成された前記空気孔切断部４０は、前記切断部上部金型４６と前記切断部下部金型４７との間で一対の前記内部フィルム２１が挿入された状態で上部の前記切断部シリンダー４３の動作によって前記切断部移動部材４５が前記切断部シャフト４２の表面とスライドしながら移動して前記切断部上部金型４６の前記切断部刃４６ａ部分が前記内部フィルム２１に前記空気孔２２２を形成する。例えば、前記第３フィルム２３０の上端に前記第２フィルム２２０を載せて重ねた状態で前記第２フィルム２２０と前記第３フィルム２３０に前記空気孔２２２を形成することができる。
【００７５】
この際、前記切断部刃４６ａの端部は前記切断部下部金型４７の前記切断部クッション部４７ａに挿入されることによって破損することを保護することができ、連続する前記金型の昇下降にも破損しない。
【００７６】
前記のように一対の前記内部フィルム２１に前記空気孔２２２を形成して続いて流入する前記外部フィルム２２が上面に密着した状態で前記第１構造室成型部５０に流入される。
【００７７】
前記第１構造室成型部５０は大きく前記構造室の形態を溶接する前記第１溶接金型部５１とこの溶接された状態を急速に冷却させて前記内部および外部フィルム（２１、２２）の変形を防止する前記第１冷却金型部５２とで構成され、その構成は前記空気孔切断部４０の構成と類似である。
【００７８】
図１１は、図８に示されたエアー包装バッグ成型機の中第１構造室、第２構造室および外郭成型のための溶接金型の斜視図であり、図１２は、図１１の断面図であり、図１３は、図８に示されたエアー包装バッグ成型機の中、第１構造室、第２構造室、および外郭成型のための冷却金型の斜視図である。
【００７９】
図８および図１１ないし図１３を参照すると、前記第１溶接金型部５１の具体的な構成は「コ」字形状の金型部ベース５１ａが前記ハウジング１０の上面を囲む形態で形成され、上面に金型部シャフト５１ｂによって金型部支持台５１ｃと連結され、この間に金型部移動部材５１ｄが前記金型部シャフト５１ｂにすべり移動するように組み立てられる。
【００８０】
また、前記金型部移動部材５１ｄは、前記金型部支持台５１ｃに組み立てられる金型部シリンダー５１ｅと連結されて上下移動が制御され、下部面の内部にヒーティング装置５１ｆ’を有する金型部上部金型５１ｆが組み立てられる。
【００８１】
また、前記金型部ベース５１ａの上面には金型部の下部金型５１ｇが組み立てられる。
【００８２】
一方、前記金型部移動部材５１ｄの側面に形成された固定ピン５１ｈにシリコンコーティングされた接着防止フィルム５１ｉが付着されて前記金型部の上部金型５１ｆの外周面を囲んで形成される。
【００８３】
これは前記金型部の上部金型５１ｆと前記金型部の下部金型５１ｇとの間に流入されて溶接される前記内部および外部フィルム（２１、２２）を保護することができ、前記金型部の上部金型５１ｆがの高温であることによって前記内部および外部フィルム（２１、２２）が溶接された状態で前記金型部の上部金型５１ｆおよび前記金型部下部金型５１ｇにくっつくことを防止することができる。
【００８４】
前記第１冷却金型部５２は前記第１溶接金型部５１とそれの構成が同一である。前記第１冷却金型部５２は前記ハウジング１０と前進および後進移動するように前記移動手段５３が形成された冷却ベース５２ａと、前記冷却ベース５２ａの上面に装着される冷却下部金型５２ｇと、前記冷却ベース５２ａの上面と冷却シャフト５２ｂに連結されて上部面に一対の冷却シリンダー５２ｅが形成された冷却支持台と、前記冷却支持台５２ｃと前記冷却下部金型５２ｇとの間に形成されて前記冷却シャフト５２ｂとすべり移動するように組み立てられた状態で両側の前記冷却シリンダー５２ｅの動作によって上下移動するように形成された冷却移動部材５２ｄを含むことができる。
【００８５】
差異点は、図１３に示したように前記第１溶接金型部５１で溶接された前記内部および外部フィルム（２１、２２）が熱によって変形されることを防止するために、溶接された部分を急速に冷却させるために冷却上部金型５２ｆの内部に流路（図示せず）を形成して冷却水が循環するように形成することにある。
【００８６】
一方、前記で第１溶接金型部５１と第１冷却金型部５２の一側に各々前記ハウジング１０と連結される移動手段５３によって前進および後進移動され、これによって製作しようとする製品の大きさおよび用途にしたがって多様にそれぞれの構成を配置することができる。
【００８７】
このような前記移動手段５３は前記第１溶接金型部５１および前記第１冷却金型部５２の前記金型部ベース５１ａおよび前記冷却ベース５２ａの一側に組み立てられる移動手段本体５３ａと、前記移動手段本体５３ａに挟まれる移動手段シャフト５３ｂおよび前記移動手段シャフト５３ｂの両側に組み立てられて前記ハウジング１０の表面に形成された平歯車１０ａとかみ合わせられる移動手段歯車５３ｃで形成され、前記移動手段シャフト５３ｂの一側端部には前記移動手段歯車５３ｃの回転のための移動手段ハンドル５３ｄが構成される。
【００８８】
前記のように構成された移動手段５３は使用者が前記移動手段ハンドル５３ｄを回転させることによって前記移動手段シャフト５３ｂに組み立てられた前記移動手段歯車５３ｃを回転させると、前記移動手段歯車５３ｃは前記平歯車１０ａとかみ合わせられた状態で回転方向に移動するようになる。よって、前記移動手段本体５３ａと連結された前記第１溶接金型部５１および前記第１冷却金型部５２を前進および後進させることができる。
【００８９】
一方、前記のように前記第１構造室成型部５０によって前記エアー包装バッグ２００の前記構造室が形成された状態で前記内部および外部フィルム（２１、２２）の下部面に前記外部フィルム２２が流入した状態で前記第２構造室成型部５０’および前記外郭成型部５０”に進行しながら前記エアー包装バッグ２００の前記構造室を完成する。
【００９０】
一方、前記第２構造室成型部５０’と前記外郭成型部５０”の構成は前述した前記第１構造室成型部５０の構成と同一であり、製品の特徴および前記構造室の変形がある場合、前記構造室の形態によって前記のような第１溶接金型部５１と第１冷却金型部５２を追加することができる。
【００９１】
また、前記のような構成によって溶接および冷却過程を経たフィルムは前記エアー包装バッグ２００の単位製品に形成するために単位製品として溶接される。
【００９２】
これは連続して進行される溶接金型および冷却金型で個別的な製品として前記エアー包装バッグ２００を作るために単位包装バッグとして切断される部分を溶接して仕上げをすることによって、エアーが漏れることを防止するとともに平板型のエアーバッグを箱型、袋型などの多様な形態に変形させるための別途の外郭溶接の過程にてその溶接する部分を確保することによってきれいで優秀な品質の前記エアー包装バッグ２００を生産することができる。
【００９３】
また、前記単位製品接着部６０の構成は前記第１溶接金型部５１の構成と同一でであるため、その具体的な構成の説明は内容の重複を避けるために省略する。
【００９４】
前記単位製品接着部６０を経た前記内部および外部フィルム（２１、２２）は前記内部および外部フィルム（２１、２２）の上面および下面の不必要な部分を除去する前記外周面切断部７０に流入される。
【００９５】
図１４は、図８に示したエアー包装バッグ成型機の外周面切断部を示した写真である。図８および図１４を参照すると、前記外周面切断部７０は前記ハウジング１０の両側に外周面固定台７１を形成し、前記外周面固定台７１を外周面シャフト７２に連結し、前記外周面シャフト７２に回動可能に組み立てられ、端部に外周面７３ａが組み立てられる外周面カッター部材７３が形成される。
【００９６】
前記外周面カッター部材７３は、前記外周面シャフト７２に密着した状態で回転するように組み立てられて使用中には前記外周面カッター部材７３を下降させて、端部の前記外周面刃７３ａが前記内部および外部フィルム（２１、２２）を切断することができるように形成し、前記外周面刃７３ａの切り替えまたは位置を調節する場合には持ち上げて調節して、それぞれの位置では一側の外周面固定ボルト７４を利用して前記外周面シャフト７２に固定および解きを調節することによって円滑に作業することができる。
【００９７】
前記内部および外部フィルム（２１、２２）は前記外周面切断部７０にて上面および下面部分が裁断された状態で前記単位製品切断部８０に流入される。
【００９８】
図１５は、図８に示されたエアー包装バッグ成型機における単位製品切断部の一部分を拡大して示した拡大斜視図である。図８および図１５を参照すると、前記単位製品切断部８０は前記ハウジング１０の両側に一対の単位ガイド板８１が装着される。
【００９９】
前記単位ガイド板８１は長溝８１ａ’が形成された第１単位ガイド板８１ａと「コ」字形状の溝が形成された第２単位ガイド板８１ｂとが組み立てられて構成される。
【０１００】
また、前記単位ガイド板８１は単位移動体８２によって各々連結されるものの、前記単位移動体８２は両側に前記長い溝８１ａ’に挟まれて端部にベアリング（図示せず）が装着された単位連結部８２ｂと下部に単位刃８３が装着され、前記単位刃８３と前記単位移動体８２が連結される部分に下部の単位シリンダー８４と連結される単位シャフト８５が組み立てられる。
【０１０１】
また、前記単位製品切断部８０は上部に回動するように組み立てられた単位保護板８６によって開閉されるように形成されることによって、作業者の不注意による安全事故を防止する。
【０１０２】
前記単位製品切断部８０は前記単位シリンダー８４の駆動によってこれと連結された前記単位シャフト８５が上下移動され、これによって前記単位移動体８２は両側が前記長い溝８１ａ’に挟まれてガイドの役割を果たしながら上下移動し、前記第２単位ガイド板８１ｂの前記第２単位ガイド板溝８１ｂ’の内面と前記単位移動体８２の端部に形成された前記ベアリングがすべり移動しながら離脱することを防止する。
【０１０３】
このような動作によって流入される前記内部および外部フィルム（２１、２２）が前記単位製品切断部８０に位置し、センサーがこれを感知して正確に溶接された部分を切断することによって前記構造室に影響を与えることなく一つの前記エアー包装バッグ２００を単位製品に切断することができるのである。
【０１０４】
また、前記エアー包装バッグ２００は、積載されて保管および運送される。
【０１０５】
以下、本発明のエアー包装バッグ成型機のフィルムの進行段階ごとにおけるフィルムが製作される状態を図８および図１６ないし図２２を参照して説明する。図１６ないし図２２は本発明によるエアー包装バッグ成型機を利用した段階別エアーバッグの製作状態を示した状態図である。図８に示したＡ部分からＧ部分のフィルム変形過程を図１６から図２２に分けて示した。図５、図６、図８および図１６ないし図２２を参照すると、図１６に示したように、一対の前記内部フィルム２１が密着された状態で前記エアー包装バッグ成型機１００の内部に流入されて前記空気孔切断部４０の前記切断部刃４６ａによって前記空気孔２２２が前記内部フィルム２１の表面に切断された状態を示している。
【０１０６】
前記空気孔２２２が形成された状態で上面に前記外部フィルム２２が流入されて前記第１構造室成型部５０に流入され、前記第１溶接金型部５１で溶接されるものの、図１７に示したように前記構造室の基本構成が溶接されることがわかる。
【０１０７】
続いて、前記第１冷却金型部５２を経た前記内部および外部フィルム（２１、２２）は下部に前記外部フィルム２２が流入された状態で前記第２構造室成型部５０’に流入される。
【０１０８】
前記第２構造室成型部５０’では、図１８に示したように前記第１構造室成型部５０で成型されたそれの外周面にそれぞれの前記構造室の枠を形成することによって、空気が流入するバルブ部分および前記構造室を完成する。
【０１０９】
続いて、前記内部および外部フィルム（２１、２２）は継続移動して図１９に示したように前記外郭成型部５０”で初期空気流入部と外枠を溶接して前記エアー包装バッグ２００の単位製品形状を整える。
【０１１０】
また、前記のように単位製品の形状を整えた前記内部および外部フィルム（２１、２２）を図２０に示したように前記単位製品接着部６０で溶接してそれぞれの単位製品形状に分割し、続いて図２１に示したように前記外周面切断部７０で前記外周面カッター部材７３を利用して外周面を切断することによって前記エアー包装バッグ２００の製作のための１次裁断を行う。
【０１１１】
最後に、図２２に示したように既に溶接された前記単位製品接着部６０を切断することによって希望するサイズの前記構造室が形成された前記エアー包装バッグ２００を得、これを多様な形態にたたんで外周面を溶接することによって、箱形態の袋およびかご形態など、包装しようとする物品の多様な形態に製作して用いる。
【０１１２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範囲内において、各種の変更例または修正例に想到し得ることは明らかであり、これらについても、当然に本発明の技術的範囲に属するものと了解される。
【符号の説明】
【０１１３】
１００    エアー包装バッグ成型機
１０    ハウジング
１１    アイドルローラー
１２    ＰＣＢ
２０    フィルムロール装着部
２１    内部フィルムロール
２２    外部フィルムロール
３０    テンション調節部
３１    テンション調節板
３２    テンションシリンダー
４０    空気孔切断部
４１    切断部ベース
４２    切断部シャフト
４３    切断部シリンダー
４４    切断部支持台
４５    切断部移動部材
４６    切断部上部金型
４６ａ    切断部刃
４７    切断部下部金型
４７ａ    切断部クッション部
５０    第１構造室成型部
５１    第１溶接金型部
５２    第１冷却金型部
５０’    第２構造室成型部
５０”    外郭成型部
６０    単位製品接着部
７０    外周面切断部
８０    単位製品切断部
９０    積載部
２００    エアー包装バッグ
２１０    第１フィルム
２２０    第２フィルム
２３０    第３フィルム
２４０    第４フィルム
２５０    通路
２６０    外郭線
２７０    外郭境界線
２８０    離形剤
【図２】
2011518091.tif 000003
【図３】
2011518091.tif 000004
【図４】
2011518091.tif 000005
【図５】
2011518091.tif 000006
【図６】
2011518091.tif 000007
【図７】
2011518091.tif 000008
【図８】
2011518091.tif 000009
【図９】
2011518091.tif 000010
【図１０】
2011518091.tif 000011
【図１１】
2011518091.tif 000012
【図１２】
2011518091.tif 000013
【図１３】
2011518091.tif 000014
【図１５】
2011518091.tif 000015
【図１６】
2011518091.tif 000016
【図１７】
2011518091.tif 000017
【図１８】
2011518091.tif 000018
【図１９】
2011518091.tif 000019
【図２０】
2011518091.tif 000020
【図２１】
2011518091.tif 000021
【図２２】
2011518091.tif 000022
【図１】
2011518091.tif 000023
【図１４】
2011518091.tif 000024
【国際調査報告】
2011518091.tif 000025
2011518091.tif 000026
2011518091.tif 000027
2011518091.tif 000028